(57)【要約】【課題】洋室での利用が可能な空間を仕切る部材１において、周囲の光源の光をある程度透過させつつ外部からの視界を遮ると同時に、美観的優位性を発揮する。【解決手段】板状のパネル材１は、複数の芯材１１〜１８を有する板状の芯材構造体１０と、芯材構造体１０の一側面に設けられ、入射する光を透過する第１透光板２０と、芯材構造体１０の他側面に設けられ、入射する光を透過する第２透光板２１とを備えている。パネル材１は、第１透光板２０にこの第１透光板２０の表面を覆い、入射する光の一部を透過しかつ残部を反射または吸収する第１半透光膜部３１と、第２透光板２１にこの第２透光板２１の表面を覆い、入射する光の一部を透過しかつ残部を反射または吸収する第２半透光膜部３２とをさらに備えている。【選択図】図４
2017089187.tif 000002
【特許請求の範囲】
【請求項１】
板状のパネル材であって、
複数の芯材を有する板状の芯材構造体と、
上記芯材構造体の一側面に設けられ、入射する光を透過する第１透光板と、
上記芯材構造体の他側面に設けられ、入射する光を透過する第２透光板と、
上記第１透光板に該第１透光板の表面を覆い、入射する光の一部を透過しかつ残部を反射または吸収する第１半透光膜部と、
上記第２透光板に該第２透光板の表面を覆い、入射する光の一部を透過しかつ残部を反射または吸収する第２半透光膜部とを備えている
ことを特徴とするパネル材。
【請求項２】
請求項１において、
上記芯材構造体が、該芯材構造体の上端部に配置されて横方向に延びる上芯材と、上記芯材構造体の下端部に配置されて横方向に延びる下芯材と、上記上芯材から上記下芯材まで縦方向に延びる少なくとも１つの縦芯材とを有している
ことを特徴とするパネル材。
【請求項３】
請求項１または２において、
上記第１および第２半透光膜部が、樹脂シートまたは和紙で構成されている
ことを特徴とするパネル材。
【請求項４】
請求項１〜３のいずれか１項において、
上記第１透光板および上記第２透光板の少なくとも一方の側面に、模様が付されている
ことを特徴とするパネル材。
【請求項５】
請求項１〜４のいずれか１項に記載のパネル材を一部に組み込んだ
ことを特徴とする間仕切り壁。
【請求項６】
請求項１〜４のいずれか１項に記載のパネル材を用いた
ことを特徴とする建具。
【請求項７】
請求項１〜４のいずれか１項に記載のパネル材を用いた
ことを特徴とするドア。  
【発明の詳細な説明】
【技術分野】
【０００１】
本発明は、パネル材ならびにそれを用いた間仕切り壁、建具、およびドアに関するものである。
【背景技術】
【０００２】
従来より、建物内の居室間や居室と廊下との間等を仕切る場合に、光を透過するかあるいは遮る間仕切りパネルや建具を用いることが知られている。ここで、光を遮る間仕切りパネル等によって空間を仕切ると、外部からの採光を取り入れがたく、住居空間の光源を室内灯に頼らなくてはいけなくなる。一方、光を透過する透光材料（例えば、ガラスやアクリル等）によって空間を仕切ると、外部からの採光を取り入れることは出来るものの、外部からの視線を遮るために透光材料の一方側をカーテンやスクリーン等で遮蔽する必要がある（例えば、特許文献１を参照）。
【先行技術文献】
【特許文献】
【０００３】
【特許文献１】実開昭６１−１３１４９４号公報
【発明の概要】
【発明が解決しようとする課題】
【０００４】
ところで、従来より、建築材料として障子が知られている。この障子によると、ある程度は光を透過させつつ外部からの視線を遮ることが可能である。しかしながら、障子は、そのデザインが一定であるばかりでなく、用途が和室への利用に限定されており、洋室が主となっている今日の住宅においては使用しづらいものとなっている。
【０００５】
本発明は、かかる点に鑑みてなされたものであり、その目的は、洋室での利用が可能な空間を仕切る部材において、周囲の光源の光をある程度透過させつつ外部からの視界を遮ると同時に、美観的優位性を発揮することにある。
【課題を解決するための手段】
【０００６】
上記の目的の達成のため、この発明では、空間を仕切るパネル材において、明るい側の空間からの光を暗い側の空間へある程度透過させると同時に、暗い側の空間から当該パネル材を見たときにその内部の芯材構造体のシルエットを視認できるようにした。
【０００７】
具体的には、第１の発明は、板状のパネル材を対象とする。このパネル材は、複数の芯材を有する板状の芯材構造体と、上記芯材構造体の一側面に設けられ、入射する光を透過する第１透光板と、上記芯材構造体の他側面に設けられ、入射する光を透過する第２透光板と、上記第１透光板に該第１透光板の表面を覆い、入射する光の一部を透過しかつ残部を反射または吸収する第１半透光膜部と、上記第２透光板に該第２透光板の表面を覆い、入射する光の一部を透過しかつ残部を反射または吸収する第２半透光膜部とを備えていることを特徴とする。
【０００８】
この第１の発明では、第１半透光膜部と第２半透光膜部とが、それらに入射する光の一部を透過しかつ残部を反射または吸収する。これにより、パネル材が仕切る空間のうち明るい側の空間からパネル材を見ると、このパネル材の第１または第２半透光膜部の表面の色や模様が視認される。一方、パネル材が仕切る空間のうち暗い側の空間からパネル材を見ると、このパネル材の内部の芯材構造体のシルエットが視認される。
【０００９】
より具体的には、明るい側の空間からパネル材を見た場合、このパネル材を見る者は、明るい側の空間における光の一部が第１または第２半透光膜部において反射した比較的強い光と、第１および第２半透光膜部と第１および第２透光板とを通過した暗い側の空間からの比較的弱い光とを同時に見ることになる。この場合、パネル材を見る者は、第１または第２半透光膜部において反射した比較的強い光を主に視認することになるので、第１または第２半透光膜部の表面の色ないし模様が見えるのである。
【００１０】
一方、暗い側の空間からパネル材を見た場合、このパネル材を見る者は、第１および第２半透光膜部と第１および第２透光板と芯材構造体の複数の芯材同士の間隙とを通過する明るい側の空間からの比較的強い光と、暗い側の空間における光の一部が第１または第２半透光膜部において反射した比較的弱い光とを同時に見ることになる。この場合、パネル材を見る者は、第１および第２半透光膜部と芯材構造体の複数の芯材同士の間隙とを通過する明るい側の空間からの比較的強い光を主に視認することになるので、複数の芯材のシルエットが模様のように浮き出て見えるのである。
【００１１】
以上のように、本発明に係るパネル材は、このパネル材によって仕切られる空間の暗い側から見ると、明るい側の空間からの光の一部が透過したものが視認される。つまり、当該パネル材によると、周囲の光源の光がある程度透過されつつ外部からの視界が遮られる。また、パネル材によって仕切られる空間の明るい側から見ると、パネル材の表面の色彩ないし模様が見える一方、パネル材によって仕切られる空間の暗い側から見ると芯材構造体のシルエットが模様のように見える。つまり、パネル材の一側面側と他側面側とでその外観が異なるという点において美観的優位性が発揮される。また、芯材構造体を挟むように第１および第２透光板を設けることにより、パネル材に必要とされる強度が確保される。
【００１２】
第２の発明は、上記第１の発明において、上記芯材構造体が、該芯材構造体の上端部に配置されて横方向に延びる上芯材と、上記芯材構造体の下端部に配置されて横方向に延びる下芯材と、上記上芯材から上記下芯材まで縦方向に延びる少なくとも１つの縦芯材とを有していることを特徴とする。
【００１３】
この第２の発明では、上芯材から下芯材まで縦方向に延びる縦芯材によって、芯材構造体の強度、ひいてはパネル材の強度がより一層向上される。
【００１４】
第３の発明は、上記第１または第２の発明において、上記第１および第２半透光膜部が、樹脂シートまたは和紙で構成されていることを特徴とする。
【００１５】
第４の発明は、上記第１〜第３の発明のいずれか１つにおいて、上記第１透光板および上記第２透光板の少なくとも一方の側面に、模様が付されていることを特徴とする。
【００１６】
この第４の発明では、パネル材によって仕切られる空間の暗い側から当該パネル材を見ると、芯材構造体のシルエットのみでなく、第１透光板および第２透光板の少なくとも一方の側面に付された模様のシルエットが見える。これにより、より一層、美観的優位性が発揮される。
【００１７】
第５の発明は、間仕切り壁を対象としており、この間仕切り壁は、上記第１〜第４の発明のいずれか１つに係るパネル材を一部に組み込んでいる。
【００１８】
この第５の発明では、間仕切り壁において、周囲の光源の光がある程度透過されつつ外部からの視界が遮られる。また、間仕切り壁の一側面側と他側面側とでその外観が異なるという点において美的優位性が発揮される。
【００１９】
第６の発明は、建具を対象としており、この建具には、上記第１〜第４の発明のいずれか１つに係るパネル材が用いられている。
【００２０】
この第６の発明では、建具において、周囲の光源の光がある程度透過されつつ外部からの視界が遮られる。また、建具の一側面側と他側面側とでその外観が異なるという点において美的優位性が発揮される。
【００２１】
第７の発明は、ドアを対象としており、このドアには、上記第１〜第４の発明のいずれか１つに係るパネル材が用いられている。
【００２２】
この第７の発明では、ドアにおいて、周囲の光源の光がある程度透過されつつ外部からの視界が遮られる。また、ドアの一側面側と他側面側とでその外観が異なるという点において美的優位性が発揮される。
【発明の効果】
【００２３】
以上説明したように、本発明によると、パネル材の一側面に第１半透光膜部を設けると共に、パネル材の他側面に第２半透光膜部を設けたことにより、周囲の光源の光をある程度透過させつつ外部からの視界を遮ると同時に、美観的優位性を発揮することができる。
【図面の簡単な説明】
【００２４】
【図１】図１は、実施形態１に係るパネル材の概略斜視図であって、当該パネル材によって仕切られる空間の暗い側から見たものである。
【図２】図２は、実施形態１に係るパネル材の概略斜視図であって、当該パネル材によって仕切られる空間の明るい側から見たものである。
【図３】図３は、実施形態１に係る芯材構造体の正面図である。
【図４】図４は、図１のIV−IV線における断面図である。
【図５】図５は、実施形態２に係る芯材構造体の正面図である。
【図６】図６は、実施形態３に係る芯材構造体の正面図である。
【図７】図７は、図６のVII−VII線における断面図である。
【発明を実施するための形態】
【００２５】
以下、本発明の実施形態を図面に基づいて詳細に説明する。以下の実施形態の説明は、本質的に例示に過ぎず、本発明、その適用物或いはその用途を制限することを意図するものでは全くない。
【００２６】
（発明の実施形態１）
−パネル材の構成−
本発明の実施形態１について説明する。本実施形態に係るパネル材１は建具として構成されている。パネル材１は、芯材構造体１０と、第１透光板２０と、第２透光板２１と、半透光膜部材３０とを備えている。
【００２７】
図１〜図３に示すように、芯材構造体１０は、全体的に板状に形成されていて、芯材構造体１０の上端部に配置されて水平横方向に延びる上芯材１１と、芯材構造体１０の下端部に配置されて水平横方向に延びる下芯材１２と、芯材構造体１０の側端部に配置されて鉛直縦方向に延びる２つの側部芯材１３，１３とを有している。上芯材１１、下芯材１２、および側部芯材１３，１３は、互いに固着されて矩形枠状に構成されている。上芯材１１、下芯材１２，および側部芯材１３，１３は、例えば光を遮る材料で構成されている。
【００２８】
また、図３に示すように、芯材構造体１０は、上芯材１１の中央部から下芯材１２の中央部まで縦方向に延びる１つの縦芯材１４と、一方の側部芯材１３から縦芯材１４まで横方向に延びる上下３つの横芯材１５，１５，…と、他方の側部芯材１３から縦芯材１４まで横方向に延びる上下３つの横芯材１５，１５，…とを有している。縦芯材１４は、芯材構造体１０の横方向の中央部に設けられている。６つの横芯材１５，１５，…は、２つが芯材構造体１０の縦方向の中央部に互いに同じ高さ位置で設けられ、別の２つが芯材構造体１０の縦方向の中央部よりも上寄りに、さらに別の２つが芯材構造体１０の縦方向の中央部よりも下寄りにそれぞれ互いに同じ高さ位置で設けられている。上芯材１１、下芯材１２、および縦芯材１４は互いに固着されている。また、側部芯材１３，１３、縦芯材１４、および横芯材１５，１５，…は互いに固着されている。縦芯材１４および横芯材１５，１５，…は、例えば光を遮る材料で構成されている。
【００２９】
さらに、図３に示すように、芯材構造体１０は、縦芯材１４から上側の横芯材１５，１５まで円弧状に湾曲して延びる２つの湾曲芯材１６，１６と、上側の横芯材１５，１５から中央部の横芯材１５，１５まで縦方向に延びる２つの中間縦芯材１７，１７と、中央部の横芯材１５，１５から下側の横芯材１５，１５まで縦方向に延びる２つの中間縦芯材１７，１７と、下側の横芯材１５，１５から下芯材１２まで縦方向に延びる２つの中間縦芯材１７，１７とを有し、３つの中間縦芯材１７，１７，…は、湾曲芯材１６の下端部の位置から下側に上下方向に一直線状に並ぶように配置されている。湾曲芯材１６，１６は、一端が縦芯材１４の上端部に固着され、他端が上側の横芯材１５，１５の中央部よりもやや外側寄りに固着されている。６つの中間縦芯材１７，１７，…は、それぞれ横芯材１５，１５，…の中央部よりもやや外側寄りに配置されている。中間縦芯材１７，１７，…、横芯材１５，１５，…、および下芯材１２は互いに固着されている。湾曲芯材１６，１６および中間縦芯材１７，１７，…は、例えば光を遮る材料で構成されている。
【００３０】
図４に示すように、第１透光板２０は、芯材構造体１０の一側面（図４における下側面）に当該面を覆うように固着されている。第１透光板２０は、正面視矩形状の板状部材であって、入射する光を透過する材料で構成されている。第１透光板２０は、上端が芯材構造体１０の上端と、また下端が芯材構造体１０の下端とそれぞれ実質的に一致している。第１透光板２０は、一方の側方端（図４で左側端）が芯材構造体１０の一方の側方端（図４で左側端）と、また他方の側方端（図４で右側端）が芯材構造体１０の他方の側方端（図４で右側端）とそれぞれ実質的に一致している。第１透光板２０は、例えば乳白アクリル材で構成されている。第１透光板２０の側面には、例えば印刷によって任意の模様（図示せず）が付されていてもよい。
【００３１】
図４に示すように、第２透光板２１は、芯材構造体１０の他側面（図４における上側面）に当該面を覆うように固着されている。第２透光板２１は、正面視矩形状の板状部材であって、入射する光を透過する材料で構成されている。第２透光板２１は、上端が芯材構造体１０の上端と、また下端が芯材構造体１０の下端とそれぞれ実質的に一致している。第２透光板２１は、一方の側方端（図４で左側端）が芯材構造体１０の一方の側方端（図４で左側端）と、また他方の側方端（図４で右側端）が芯材構造体１０の他方の側方端（図４で右側端）とそれぞれ実質的に一致している。第２透光板２１は、例えば乳白アクリル材で構成されている。第２透光板２１の側面には、例えば印刷によって任意の模様（図示せず）が付されていてもよい。
【００３２】
図１、図２および図４に示すように、半透光膜部材３０は、一体に形成されかつ芯材構造体１０、第１透光板２０、および第２透光板２１からなる構造体に巻き付けられていて、当該構造体を上面視で取り囲んでいる。半透光膜部材３０は、有色の部材であって、入射する光の一部を透過しかつ残部を反射または吸収する材料で構成されている。半透光膜部材３０は、上端が芯材構造体１０の上端と、また下端が芯材構造体１０の下端とそれぞれ実質的に一致している。つまり、半透光膜部材３０は、第１透光板２０の表面を覆い、かつ第２透光板２１の表面を覆っている。半透光膜部材３０は、芯材構造体１０の側部芯材１３，１３、第１透光板２０、および第２透光板２１に固着されている。第１および第２透光板２０，２１と半透光膜部材３０とが固着されていることにより、パネル材１によって仕切られる空間の暗い側から当該パネル材１を見た場合に、芯材構造体１０のシルエットをより一層明瞭に視認することが可能となる。半透光膜部材３０は、約０．２〜０．３ｍｍの厚みを有していて、例えば樹脂シートや和紙で構成されている。半透光膜部材３０には、任意の柄が印刷されていてもよい。半透光膜部材３０のうち第１透光板２０を覆う部分は、第１半透光膜部３１を構成しており、半透光膜部材３０のうち第２透光板２１を覆う部分は、第２半透光膜部３２を構成している。なお、本明細書において「有色」とは、有彩色および無彩色を含むものであって、また、模様が付されている場合をも含むことを意味する。
【００３３】
−パネル材の外観−
図１および図２に示すように、本実施形態に係るパネル材１は、このパネル材１によって仕切られる空間の明るい側から見た場合と、暗い側から見た場合とでその外観が異なる。以下、図１および図２に示すように、パネル材１の奥側が比較的明るい空間であって、パネル材１の手前側が比較的暗い空間である場合について説明する。
【００３４】
図１に示すように、パネル材１を手前側（暗い側）から見ると、奥側から手前側に向かって半透光膜部材３０と、第１および第２透光板２０，２１と、芯材構造体１０の各芯材１１〜１７の間の空間を通過した光を視認することができる。これにより、手前側からパネル材１を見る者は、芯材構造体１０のシルエットを模様のように視認する。ここで、奥側からの光は半透光膜部材３０によって一部が反射されるので、手前側からパネル材１を見る者は、パネル材１の奥側の様子を例えば透明なガラスのみを隔てて視認するように完全に視認することはできない。
【００３５】
一方、図２に示すように、パネル材１を奥側（明るい側）から見ると、半透光膜部材３０によって反射された光を認識することができる。これにより奥側からパネル材１を見る者は、半透光膜部材３０の色彩や模様等を視認する。
【００３６】
−実施形態１の効果−
実施形態１のパネル材１では、その外周面を取り囲む半透光膜部材３０を設けたので、周囲の光源の光をある程度透過させつつ外部からの視界を遮ることができる。ここで、例えば照明のある部屋と照明のない部屋とを当該パネル材１によって仕切った場合、照明のない部屋においても隣室の照明の光を採り入れて視界を確保することができる。また、例えば子ども部屋の建具として当該パネル材１を用いた場合、子ども部屋において灯りがついているかどうか等を外部から確認することができる。
【００３７】
また、パネル材１によって仕切られる空間の明るい側（奥側）から見ると、半透光膜部材３０の色彩ないし模様等が見える一方、パネル材１によって仕切られる空間の暗い側（手前側）から見ると、芯材構造体１０のシルエットが模様のように見えるので、パネル材１の手前側と奥側とでその外観が異なるという点において美観的優位性を発揮することができる。
【００３８】
また、芯材構造体１０に上芯材１１、下芯材１２、およびこれらの間を縦方向に延びる縦芯材１４を設けたので、芯材構造体１０の強度、ひいてはパネル材１の強度をより一層向上させることができる。
【００３９】
また、第１透光板２０または第２透光板２１の側面に模様が付されている場合、パネル材１によって仕切られる空間の暗い側（手前側）から当該パネル材１を見ると、芯材構造体１０のシルエットのみでなく、当該模様のシルエットも見えるので、より一層、美観的優位性を発揮することができる。
【００４０】
また、パネル材１のデザインは和室のみならず洋室にも適したものであるので、洋室が主となっている今日の住宅においても当該パネル材１を広く使用することができる。
【００４１】
（発明の実施形態２）
本発明の実施形態２について説明する。本実施形態のパネル材１は、上記実施形態１のパネル材１とその芯材構造体１０の構成が異なっている。以下、実施形態１と異なる部分を中心に説明する。
【００４２】
−芯材構造体の構造−
図５に示すように、本実施形態の芯材構造体１０は、第１板芯材４０と、第２板芯材４１と、第３板芯材４２と、第４板芯材４３と、斜め芯材１８と、第１湾曲芯材１６ａと、第２湾曲芯材１６ｂとを有している。各板芯材４０〜４３、斜め芯材１８、第１湾曲芯材１６ａ、および第２湾曲芯材１６ｂは、例えば光を遮る材料で構成されている。
【００４３】
第１板芯材４０は、その１つの角部が後述する第１および第２湾曲芯材１６ａ，１６ｂと平行に円弧状に切り欠かれた矩形板状の部材であって、上芯材１１と上側の横芯材１５との間に、縦芯材１４を挟んで対称的に２つ設けられている。第１板芯材４０は、上芯材１１、側部芯材１３、および縦芯材１４に固着されている。
【００４４】
第２板芯材４１は、縦方向に延びる細長い矩形板状の部材であって、上側の横芯材１５と中央部の横芯材１５との間に、縦芯材１４を挟んで対称的に２つ設けられている。第２板芯材４１は、上側の横芯材１５、側部芯材１３、および中央部の横芯材１５に固着されている。
【００４５】
第３板芯材４２は、縦方向に延びる細長い矩形板状の部材であって、中央部の横芯材１５と下側の横芯材１５との間に、縦芯材１４を挟んで対称的に２つ設けられている。第３板芯材４２は、中央部の横芯材１５、側部芯材１３、および下側の横芯材１５に固着されている。
【００４６】
第４板芯材４３は、縦方向に延びる細長い矩形板状の部材であって、下側の横芯材１５と下芯材１２との間に、縦芯材１４を挟んで対称的に２つ設けられている。第４板芯材４３は、下側の横芯材１５、側部芯材１３、および下芯材１２に固着されている。
【００４７】
斜め芯材１８は、縦芯材１４および上側の横芯材１５の固着点と第１板芯材４０との間にわたって筋交い状に斜めに延びている。斜め芯材１８，１８は、縦芯材１４を挟んで対称的に２つ設けられている。斜め芯材１８，１８は、一端が縦芯材１４と上側の横芯材１５との固着部分に固着され、他端が第１板芯材４０の円弧状部分のほぼ中央部に固着されている。
【００４８】
第１湾曲芯材１６ａは、縦芯材１４から斜め芯材１８まで円弧状に湾曲して延びている。第１湾曲芯材１６ａ，１６ａは、縦芯材１４を挟んで対称的に２つ設けられている。第１湾曲芯材１６ａ，１６ａは、一端が縦芯材１４の上端部に固着され、他端が斜め芯材１８の中央部よりもやや上寄りに固着されている。
【００４９】
第２湾曲芯材１６ｂは、斜め芯材１８から上側の横芯材１５まで円弧状に湾曲して延びている。第２湾曲芯材１６ｂ，１６ｂは、縦芯材１４を挟んで対称的に２つ設けられている。第２湾曲芯材１６ｂ，１６ｂは、一端が斜め芯材１８の中央部よりもやや上寄りに固着され、他端が上側の横芯材１５のほぼ中央部に固着されている。
【００５０】
本実施形態のパネル材１によっても、上記実施形態１と同様の作用効果が得られる。また、複数の板芯材４０〜４３が設けられているので、芯材構造体１０の強度、ひいてはパネル材１の強度をより一層向上させることができる。
【００５１】
（発明の実施形態３）
本発明の実施形態３について説明する。本実施形態のパネル材１は、上記実施形態１のパネル材１とその芯材構造体１０の構成が異なっている。以下、実施形態１と異なる部分を中心に説明する。
【００５２】
−芯材構造体の構造−
図６および図７に示すように、本実施形態の芯材構造体１０は、複数の第１縦芯材１４ａ，１４ａ，…と、複数の第２縦芯材１４ｂ，１４ｂ，…と、複数の第１横芯材１５ａ，１５ａ，…と、複数の第２横芯材１５ｂ，１５ｂ，…とを有している。第１および第２縦芯材１４ａ，１４ｂと第１および第２横芯材１５ａ，１５ｂとは、例えば光を遮る材料で構成されている。
【００５３】
第１縦芯材１４ａ，１４ａ，…は、芯材構造体１０の一側面側（図７において下側）に設けられていて、上芯材１１から下芯材１２まで縦方向に延びている。第１縦芯材１４ａ，１４ａ，…は、芯材構造体１０の横方向の中央部と、中央部よりも右寄りの部分と、中央部よりも左寄りの部分とに設けられている。上芯材１１、下芯材１２、および第１縦芯材１４ａ，１４ａ，…は互いに固着されている。
【００５４】
第２縦芯材１４ｂ，１４ｂ，…は、芯材構造体１０の他側面側（図７において上側）に設けられていて、上芯材１１から下芯材１２まで縦方向に延びている。第２縦芯材１４ｂ．１４ｂ，…は、図６に示すように、正面視で第１縦芯材１４ａ，１４ａ，…を横方向において両側から挟むように、１つの第１縦芯材１４ａ，１４ａ，…に対して２つずつ設けられている。上芯材１１，下芯材１２，および第２縦芯材１４ｂ，１４ｂ，…は互いに固着されている。
【００５５】
第１横芯材１５ａ，１５ａ，…は、芯材構造体１０の一側面側（図７において下側）に設けられていて、上方から下方に向かって一定の間隔をおいて複数設けられている。第１横芯材１５ａ，１５ａ，…は、一方の側部芯材１３、左寄りの第１縦芯材１４ａ、中央部の第１縦芯材１４ａ、右寄りの第１縦芯材１４ａ、および他方の側部芯材１３の間にそれぞれ同じ高さ位置を横方向に延びるように設けられている。側部芯材１３，１３、第１縦芯材１４ａ，１４ａ，…、および第１横芯材１５ａ，１５ａ，…は互いに固着されている。
【００５６】
第２横芯材１５ｂ，１５ｂ，…は、芯材構造体１０の他側面側（図７において上側）に設けられている。第２横芯材１５ｂ，１５ｂ，…は、図６に示すように、正面視で第１横芯材１５ａ，１５ａ，…を縦方向において両側から挟むように、１つの第１横芯材１５ａ，１５ａ，…に対して２つずつ設けられている。第２横芯材１５ｂ．１５ｂ．…は、側部芯材１３，１３と各第２縦芯材１４ｂ．１４ｂとの間にそれぞれ同じ高さ位置を横方向に延びるように設けられている。側部芯材１３，１３、第２縦芯材１４ｂ，１４ｂ，…、および第２横芯材１５ｂ，１５ｂ，…は互いに固着されている。
【００５７】
本実施形態のパネル材１によっても、上記実施形態１と同様の作用効果が得られる。また、上芯材１１から下芯材１２まで延びる第１および第２縦芯材１４ａ，１４ｂが複数（この例では計９つ）設けられているので、芯材構造体１０の強度、ひいてはパネル材１の強度をより一層向上させることができる。
【００５８】
（その他の実施形態）
上記実施形態１および実施形態２では、縦芯材１４が１つ設けられかつ横芯材１５が３つ設けられているが、縦芯材１４および横芯材１５の数はこれらに限定されるものではない。上記実施形態３における第１および第２縦芯材１４ａ，１４ｂや第１および第２横芯材１５ａ，１５ｂの数についても同様である。
【００５９】
また、上記各実施形態では、パネル材１に巻き付けられた半透光膜部材３０は一体に形成されており、この半透光膜部材３０の一部が第１または第２半透光膜部３１，３２を構成している。しかし、第１透光板２０の表面を覆う第１半透光膜部材と、第２透光板２１の表面を覆う第２半透光膜部材とが別体に設けられ、第１半透光膜部材が第１半透光膜部３１を、第２半透光膜部材が第２半透光膜部３２をそれぞれ構成していてもよい。
【００６０】
また、上記各実施形態では、パネル材１は正面矩形状に形成されているが、これに限らず、パネル材１を正面視で四角形以外の多角形、円形、長円形等の任意の他の形状に形成してもよい。
【００６１】
また、上記各実施形態では、パネル材１を建具として使用しているが、パネル材１をドアとして用いてもよい。さらに、間仕切り壁の一部を構成する部材としてパネル材１を用いてもよい。
【産業上の利用可能性】
【００６２】
本発明は、周囲の光源の光をある程度透過させつつ外部からの視界を遮ると同時に、美観的優位性を発揮することができるので、極めて有用である。
【符号の説明】
【００６３】
１    パネル材（建具、ドア）
１０  芯材構造体
１１  上芯材（芯材）
１２  下芯材（芯材）
１３  側部芯材（芯材）
１４  縦芯材（芯材）
１４ａ  第１縦芯材（芯材）
１４ｂ  第２縦芯材（芯材）
１５  横芯材（芯材）
１５ａ  第１横芯材（芯材）
１５ｂ  第２横芯材（芯材）
１６  湾曲芯材（芯材）
１６ａ  第１湾曲芯材（芯材）
１６ｂ  第２湾曲芯材（芯材）
１７  中間縦芯材（芯材）
１８  斜め芯材（芯材）
２０  第１透光板
２１  第２透光板
３１  第１半透光膜部
３２  第２半透光膜部
４０  第１板芯材（芯材）
４１  第２板芯材（芯材）
４２  第３板芯材（芯材）
４３  第４板芯材（芯材）
【図１】
2017089187.tif 000003
【図２】
2017089187.tif 000004
【図３】
2017089187.tif 000005
【図４】
2017089187.tif 000006
【図５】
2017089187.tif 000007
【図６】
2017089187.tif 000008
【図７】
2017089187.tif 000009